(57)【要約】【課題】扉を開放方向に起動するときの操作力が軽減されると共に、適度なクリック衝撃が得られる冷蔵庫等の扉装置を提供する。【解決手段】吊り車輪５が案内レール３のレール主体部材６からガイド部材７に移乗すると、庫本体１側に突出形成されたＶ字状張出部１４の一対の斜面１５，１６と、庫本体１から離れた側に凹み形成されたＶ字状凹陥部１７の一対の斜面１８，１９が、吊り車輪５の内外一対のリム１０，１１の先端縁部が転接する案内面となる。前記Ｖ字状張出部１４の一対の斜面１５，１６の会合部２１の頂点部２３は、レール主体部材６の案内面８，９が会合する稜線部１３よりも若干低く形成されている。吊り車輪５と前記Ｖ字状張出部１４及び前記Ｖ字状陥没部１７との係合時に所要大きさのクリック衝撃が得られ、操作者は前記扉４が所定の閉鎖位置に到達したことを的確に知ることができる。【選択図】図７
2008002717.tif 000002
【特許請求の範囲】
【請求項１】
冷蔵庫等の庫本体１の出入口用開口部２の上部側に水平状に配設される案内レール３と、前記出入口用開口部２を開閉する扉４の上部に装着されて、前記案内レール３に転走可能に係合する吊り車輪５とを具備する冷蔵庫等の扉装置において、
前記案内レール３は、レール主体部材６と前記レール主体部材６の末端部または途中に連設されるガイド部材７とからなり、
前記レール主体部材６には一対の傾斜面よりなる逆Ｖ字状の案内面８，９が形成されており、前記各案内面８，９には前記吊り車輪５の内外一対のリム１０，１１の先端縁部が転接し、前記リム１０，１１に挟まれた逆Ｕ状溝１２の内底面には、前記一対の案内面８，９の上端が会合してなる稜線部１３が転接するものであり、
前記ガイド部材７は、前記レール主体部材６の前記一対の案内面８，９のうちの前記庫本体１側にある案内面８の延長線上にある傾斜面２４に、前記ガイド部材７の長さ方向に沿って配置された互いに逆向きの一対の斜面１５，１６よりなる緩やかなＶ字状張出部１４が設けられている一方、前記レール主体部材６の前記一対の案内面８，９のうちの前記庫本体１から離れた側にある前記案内面９の延長線上にある傾斜面２５には、前記ガイド部材７の長さ方向に沿って配置された互いに逆向きの一対の斜面１８，１９よりなる緩やかなＶ字状凹陥部１７が設けられたものであり、前記Ｖ字状張出部１４の稜線部２０は前記レール主体部材６の前記稜線部１３とは段差を付けて不連続に形成されており、前記Ｖ字状張出部１４の前記一対の斜面１５，１６と前記Ｖ字状凹陥部１７の前記一対の斜面１８，１９が、前記吊り車輪５の内外一対の前記リム１０，１１の先端縁部が転接する案内面となっており、
前記吊り車輪５の前記一対のリム１０，１１の先端縁部が、前記ガイド部材７の長さ方向に対して直角に配置された前記Ｖ字状張出部１４の前記一対の斜面１５，１６同士の会合部２１と、前記ガイド部材７の長さ方向に対して直角に配置された前記Ｖ字状陥没部１７の前記一対の斜面１５，１６同士の会合部２２に位置したとき、前記リム１０，１１に挟まれた前記逆Ｕ状溝１２の内底面が、前記Ｖ字状張出部１４の前記会合部２１の頂点部２３に当接するものであり、
前記ガイド部材７の前記Ｖ字状張出部１４の前記頂点部２３が、前記レール主体部材６の前記稜線部１３よりも若干低く形成されており、前記吊り車輪５が手動操作によって前記Ｖ字状陥没部１７から脱出できるようになっていることを特徴とする冷蔵庫等の扉装置。
【発明の詳細な説明】
【技術分野】
【０００１】
本発明は、業務用大型冷蔵庫や冷凍庫等に使用されるスライディング式の扉装置に関するものである。
【背景技術】
【０００２】
これまで一般に使用されているスライディング式の扉装置は、レール主体部材とガイド部材よりなる断面矩形状の案内レールを扉の上方において庫本体の出入り口用開口部の上部に水平に固定し、扉の上端部に装備した左右２個の吊り車輪を前記案内レールに載架し、庫本体側に接近するように斜め下向きに形成した２個の凹所を前記ガイド部材に設け、扉の全閉位置に置いて一側の吊り車輪を一方の前記凹所に落し込むと共に、他側の吊り車輪を他方の前記凹所に落し込むことによって、庫本体側に斜め下方に移動した扉の内側面でシール部材を圧縮して扉を密閉している（特許文献１参照）。
【０００３】
特許文献１の扉装置では、前記案内レールの矩形断面において上側に位置する一対の辺面が逆Ｖ字状の案内面を形成しており、前記各案内面には吊り車輪の内外一対のリムの先端縁部が転接し、前記リムに挟まれた逆Ｕ状溝の内底面には、前記一対の案内面の上端が会合してなる稜線部が転接している。
前記レール主体部材の前記稜線部と前記ガイド部材の前記稜線部は、一連に連続して形成されているが、前記ガイド部材の稜線部は、前記凹所において斜め下向きに下降しており、前記凹所の最深部においては前記レール主体部材の前記稜線部との間に一定の落差が設定されている。
【０００４】
このように案内レールが構成されている扉装置では、前記ガイド部材の前記凹部にまで吊り車輪が到達したとき、前記レール主体部材の前記稜線部と前記ガイド部材の前記稜線部との高さの差分だけ、吊り車輪が降下して前記凹部に係合することになり、この係合時のクリック衝撃によって操作者は扉が所定の全閉位置に来たことを感知する。
扉を開放するに当たっては、吊り車輪をガイド部材の前記凹所の前記稜線部から持ち上げレール主体の前記稜線部上に移動させる必要があるため、この扉装置では、梃子の原理を利用した起動手段を扉と庫本体との間に設けている。
【０００５】
このような起動手段を別途付加しなくても軽快に扉を開放方向に起動できるものとして別の扉装置が提案されている（特許文献２参照）。
特許文献２の扉装置は、前記案内レールの矩形断面において上側に位置する一対の辺面が逆Ｖ字状の案内面を形成しており、前記各案内面には吊り車輪の内外一対のリムの先端縁部が転接し、前記リムに挟まれた逆Ｕ状溝の内底面には、前記一対の案内面の上端が会合してなる稜線部が転接しており、前記レール主体部材の前記稜線部と前記ガイド部材の前記稜線部が一連に連続して形成されている点においては、特許文献１の扉装置と同様の構成を採用しているが、前記ガイド部材の稜線部は、特許文献１の扉装置の前記凹所に相当する屈曲部においても水平に形成されており、前記レール主体部材の前記稜線部と前記ガイド部材の前記稜線部との間に落差がない点において、特許文献１の扉装置と相違している。
【０００６】
このように前記レール主体部材の前記稜線部と前記ガイド部材の前記稜線部とが同じ高さに設定されているため、扉を開放方向に起動するときの操作力が大幅に軽減され、梃子の原理を利用した起動手段を附設する必要がない。
起動時の抵抗を軽減させた反面、扉の開閉の全行程において吊り車輪はクリック衝撃なしに前記案内レールに沿って平滑に転走することになるため、操作者は扉閉鎖位置を容易に知ることができないという不都合がある。
【０００７】
【特許文献１】実公平２−１８４７０号公報
【特許文献２】特許第３４９１７３８号公報
【発明の開示】
【発明が解決しようとする課題】
【０００８】
本発明の課題は、扉を開放方向に起動するときの操作力が軽減され、梃子の原理を利用した起動手段を附設する必要がないと共に、適度なクリック衝撃が得られるため、扉の閉鎖位置を容易に知ることができる冷蔵庫等の扉装置を提供することである。
【課題を解決するための手段】
【０００９】
本発明の主たる特徴は、冷蔵庫等の庫本体１の出入口用開口部２の上部側に水平状に配設される案内レール３と、前記出入口用開口部２を開閉する扉４の上部に装着されて、前記案内レール３に転走可能に係合する吊り車輪５とを具備する冷蔵庫等の扉装置において、
前記案内レール３は、レール主体部材６と前記レール主体部材６の末端部または途中に連設されるガイド部材７とからなり、
前記レール主体部材６には一対の傾斜面よりなる逆Ｖ字状の案内面８，９が形成されており、前記各案内面８，９には前記吊り車輪５の内外一対のリム１０，１１の先端縁部が転接し、前記リム１０，１１に挟まれた逆Ｕ状溝１２の内底面には、前記一対の案内面８，９の上端が会合してなる稜線部１３が転接するものであり、
前記ガイド部材７は、前記レール主体部材６の前記一対の案内面８，９のうちの前記庫本体１側にある案内面８の延長線上にある傾斜面２４に、前記ガイド部材７の長さ方向に沿って配置された互いに逆向きの一対の斜面１５，１６よりなる緩やかなＶ字状張出部１４が設けられている一方、前記レール主体部材６の前記一対の案内面８，９のうちの前記庫本体１から離れた側にある前記案内面９の延長線上にある傾斜面２５には、前記ガイド部材７の長さ方向に沿って配置された互いに逆向きの一対の斜面１８，１９よりなる緩やかなＶ字状凹陥部１７が設けられたものであり、前記Ｖ字状張出部１４の稜線部２０は前記レール主体部材６の前記稜線部１３とは段差を付けて不連続に形成されており、前記Ｖ字状張出部１４の前記一対の斜面１５，１６と前記Ｖ字状凹陥部１７の前記一対の斜面１８，１９が、前記吊り車輪５の内外一対の前記リム１０，１１の先端縁部が転接する案内面となっており、
前記吊り車輪５の前記一対のリム１０，１１の先端縁部が、前記ガイド部材７の長さ方向に対して直角に配置された前記Ｖ字状張出部１４の前記一対の斜面１５，１６同士の会合部２１と、前記ガイド部材７の長さ方向に対して直角に配置された前記Ｖ字状陥没部１７の前記一対の斜面１５，１６同士の会合部２２に位置したとき、前記リム１０，１１に挟まれた前記逆Ｕ状溝１２の内底面が、前記Ｖ字状張出部１４の前記会合部２１の頂点部２３に当接するものであり、
前記ガイド部材７の前記Ｖ字状張出部１４の前記頂点部２３が、前記レール主体部材６の前記稜線部１３よりも若干低く形成されており、前記吊り車輪５が手動操作によって前記Ｖ字状陥没部１７から脱出できるようになっていることである。
【発明の効果】
【００１０】
このように本発明のスライディング式の扉装置では、前記吊り車輪５が前記案内レール３の前記レール主体部材６上を転走しているときには、前記レール主体部材６の逆Ｖ字状に配置された前記一対の案内面８，９に前記吊り車輪５の内外一対のリム１０，１１の先端縁部が転接する一方、前記リム１０，１１に挟まれた逆Ｕ状溝１２の内底面に、前記一対の案内面８，９の上端が会合してなる稜線部１３が転接する。
前記吊り車輪５が前記レール主体部材６から前記ガイド部材７に移乗すると、前記庫本体１側に突出形成された前記Ｖ字状張出部１４の前記一対の斜面１５，１６と、前記庫本体１から離れた側に凹み形成された前記Ｖ字状凹陥部１７の前記一対の斜面１８，１９が、前記吊り車輪５の前記リム１０，１１の先端縁部の転接する案内面となる。
【００１１】
前記ガイド部材７の前記Ｖ字状張出部１４の稜線部２０、すなわち前記一対の斜面１５，１６と前記傾斜面２４から突き出した傾斜上面２６との会合によって形成される稜線部２０は、前記レール主体部材６の前記稜線部１３より段差を付けて前記稜線部１３とは不連続に形成されているため、前記吊り車輪５が前記レール主体部材６から前記ガイド部材７に移乗するとき、前記吊り車輪５の前記逆Ｕ状溝１２の内底面を支持するものはない。そのため、前記吊り車輪５は、前記Ｖ字状張出部１４の前記一対の斜面１５，１６と前記Ｖ字状凹陥部１７の前記一対の斜面１８，１９に誘導され、かつ、これら斜面１５，１６及び斜面１８，１９に沿って若干滑り落ちる。
【００１２】
前記吊り車輪５の前記リム１０，１１が、前記Ｖ字状張出部１４の前記一対の斜面１５，１６同士の会合部２１と、前記Ｖ字状陥没部１７の前記一対の斜面１８，１９同士の会合部２０に係合する位置に落ち込んだとき、前記吊り車輪５の前記逆Ｕ字状溝１２の内底面が前記Ｖ字状張出部１４の前記会合部２１の前記頂点部２３に着座し、前記吊り車輪５が前記庫本体１側に接近（距離ｄ１分だけ）することによって、前記扉４が前記庫本体１に対して密閉される。
前記ガイド部材７の前記Ｖ字状張出部１４の前記一対の斜面１５，１６の会合部２１の頂点部２３は、前記レール主体部材６の前記稜線部１３よりも若干低く形成されているため、前記吊り車輪５と前記Ｖ字状張出部１４及び前記Ｖ字状陥没部１７との前記係合時に所要大きさのクリック衝撃が得られ、操作者は前記扉４が所定の閉鎖位置に到達したことを的確に知り、前記扉４の閉鎖操作をその段階で直ちに停止することができる。
【００１３】
また、本発明の扉装置では、前記ガイド部材７の前記Ｖ字状張出部１４の前記頂点部２３は、前記吊り車輪５を手動操作によって前記Ｖ字状陥没部１７から脱出させることができる程度に、前記レール主体部材６の前記稜線部１３よりも若干（ｄ２の距離分だけ）低く形成されているため、梃子の原理を利用した起動手段を附設する必要がなくして、前記扉４の開放方向への起動操作を比較的軽快に行なうことができる。
【実施例】
【００１４】
図示の実施例では、プレハブ式冷蔵庫の庫本体１の正面壁部２７に開設された出入口用開口部２の上部側には、左右一対の金属製レール取付部材２８がボルト２９によって締付け固着されており、レール取付部材２８の下部のレール嵌合部３０には、レール主体部材６とガイド部材７からなる水平な案内レール３が直線状に載置され、ボルト３１によって締付け固着されている。前記ボルト３１は、レール主体部材６の横断孔３２とガイド部材７の横断孔３３に嵌挿される。左右一対の吊り車輪５，５は、金属製ブラケット３４とボルト３５によって扉４の上端部に装着されている。前記ボルト３５は前記ブラケット３４の前後方向の調整スロット３６に嵌挿されている。
【００１５】
冷蔵庫を設置した床部３７の前方延長部には、密閉ガイドブロック３８がアンカーボルト３９によって固着されている。密閉ガイドブロック３８には庫本体１側に向かって下り傾斜のガイド斜面４０が形成されており、前記扉４の下端部にはガイドプレート４１がビス４２によって固着されている。前記密閉ガイドブロック３８と前記ガイドプレート４１は、扉４の閉鎖動作の終端において扉４が下降するとき、協働作用によって前記扉４を前記庫本体１側に移動させ、シール部材４３を圧縮して前記扉４を前記庫本体１に対して密閉させる。
【００１６】
図示の実施例では、前記扉４は扉前面部に装着した操作ハンドル（図示していない）によって手動操作によって開閉される。前記案内レール３の前記レール主体部材６は、断面矩形状の金属製パイプ部材またはプラスチック製ソリッド部材等によって構成され、前記ガイド部材７はプラスチック製ソリッド部材によって構成されている。前記ガイド部材７の断面は、前記レール主体部材６の矩形断面に前記Ｖ字状張出部１４の矩形断面を重畳した形状になっている。図７に示したように、前記Ｖ字状張出部１４の前記一対の斜面１５，１６同士の会合部２１の頂点部２３は、距離ｄ２分だけ前記レール主体部材６の前記稜線部１３よりも低く設定されている。
【００１７】
ガイド部材７の左右各端部の中央には、レール主体部分６との連結用螺子孔を軸方向に形成してある。上記実施例では、片開き式の扉装置について説明したが、本発明の扉装置は両開き式の扉装置においても適用できる。
【図面の簡単な説明】
【００１８】
【図１】本発明の一実施例に係る扉装置を適用した冷蔵庫の正面図である。
【図２】図１の扉装置の扉閉鎖の直前状態における左側面図である。
【図３】図１の扉装置の扉閉鎖の直後状態における左側面図である。
【図４】図１の扉装置に使用した案内レールのガイド部材の左側面図である。
【図５】図４のガイド部材のＡ方向からの斜視図である。
【図６】図４のガイド部材のＢ方向からの斜視図である。
【図７】図４のガイド部材上における吊り車輪の移動状態を示す左側面図である。
【図８】図４のガイド部材の正面図である。
【符号の説明】
【００１９】
１  庫本体
２  出入口用開口部
３  案内レール
４  扉
５  吊り車輪
６  案内レールのレール主体部材
７  案内レールのガイド部材
８  レール主体部材の案内面
９  レール主体部材の別の案内面
１０  吊り車輪のリム
１１  吊り車輪のリム
１２  吊り車輪の逆Ｕ状溝
１３  レール部材の稜線部
１４  ガイド部材のＶ字状張出部
１５  Ｖ字状張出部の斜面
１６  Ｖ字状張出部の別の斜面
１７  Ｖ字状凹陥部
１８  Ｖ字状凹陥部の斜面
１９  Ｖ字状凹陥部の別の斜面
２０  Ｖ字状張出部の稜線部
２１  Ｖ字状張出部の斜面同士の会合部
２２  Ｖ字状陥没部の斜面同士の会合部
２３  Ｖ字状張出部の会合部の頂点部
２４  ガイド部材の傾斜面
２５  ガイド部材の別の傾斜面
２６  ガイド部材の傾斜上面
２７  庫本体の正面壁部
２８  レール取付部材
２９  ボルト
３０  レール取付部材のレール嵌合部
３１  ボルト
３２  レール主体部材の横断孔
３３  ガイド部材の横断孔
３４  吊り車輪のブラケット
３５  ボルト
３６  調整スロット
３７  床部
３８  密閉用ガイドブロック
３９  アンカーボルト
４０  ガイドブロックのガイド斜面
４１  ガイドプレート
４２  固着用ビス
４３  シール部材
【図１】
2008002717.tif 000003
【図２】
2008002717.tif 000004
【図３】
2008002717.tif 000005
【図４】
2008002717.tif 000006
【図５】
2008002717.tif 000007
【図６】
2008002717.tif 000008
【図７】
2008002717.tif 000009
【図８】
2008002717.tif 000010